(57)【要約】【課題】  その目的とするところは店頭での展示性がある新規包装形態の包装体を提供することにある。【解決手段】  ４枚の側板からなる角筒状の胴部を有し、天板及び底板で上部及び下部の開口を閉鎖されてなり、側板は長穴形状の切り欠き部を備えた包装箱と、当該包装箱に収容された円筒部を有する物品とを備えた包装体であって、包装箱が、側板が、対角から切り欠き部に伸びる斜め折り線を備え、底板の中央に仮想の垂線をひいたとき、仮想の垂線を回転軸として天板の側を捩ったとき、側板が斜め折り線で折れ曲がり、側板が連接される稜線が傾斜した状態で保持されており、物品が包装箱に収容されていることを特徴とする包装体である。【選択図】        図１
2020158125.tif 000002
【特許請求の範囲】
【請求項１】
４枚の側板からなる角筒状の胴部を有し、天板及び底板で上部及び下部の開口を閉鎖されてなり、前記側板は長穴形状の切り欠き部を備えた包装箱と、
当該包装箱に収容された円筒部を有する物品と
を備えた包装体であって、
前記包装箱が、前記側板が、対角から前記切り欠き部に伸びる斜め折り線を備え、
前記底板の中央に仮想の垂線をひいたとき、仮想の垂線を回転軸として
前記天板の側を捩ったとき、
前記側板が前記斜め折り線で折れ曲がり、
前記側板が連接される稜線が傾斜した状態で保持されており、
前記物品が前記包装箱に収容されていることを特徴とする包装体。
【請求項２】
角筒状の胴部を形成する４枚の前記側板は、一の方向に対向する前記側板のうち、一方の前記側板の上部に前記天板が連接され、他方の前記側板の上部に天内板が連接され、二の方向に対向する前記側板の上部に折り込み片がそれぞれ連接され、
いずれか一方の前記折り込み片及び前記側板の上部に補助折り線が設けられており、
前記補助折り線が、前記折り込み片の端縁から当該折り込み片に連接する前記側板の前記切り欠き部に向かい延びていることを特徴とする請求項１に記載の包装体。
【発明の詳細な説明】
【技術分野】
【０００１】
本発明は、板紙からなる包装箱の技術分野に属し、主として、ビタミン類、アミノ酸、滋養強壮等の疲労回復や健康維持に効果が期待される成分を含む栄養ドリンク、胃腸薬や風邪薬等の医薬用ドリンク、エンジンオイル添加液等が充填されたガラス瓶や缶等の物品を包装箱に収容してなる包装体に関する。
【背景技術】
【０００２】
従来、この種のガラス瓶等に収容された物品の包装形態としては、板紙からなる直方体形状の包装箱で、包装箱本体の上部に開閉可能な蓋部を備えた包装箱に収容された包装形態が多用されている。そして、ガラス瓶等の破損を防止するために緩衝部材を備えた包装用箱が用いられることも知られている（例えば、特許文献１参照）。この包装用箱は、収容された物品を緩衝部材で保護する構造を有している。また、収容された物品を見せる包装形態としては、窓部を備えた包装箱やブリスターパックに収容した包装形態が知られている。
【先行技術文献】
【特許文献】
【０００３】
【特許文献１】特開２０１２−３５８６７号公報
【発明の概要】
【発明が解決しようとする課題】
【０００４】
従来の物品を収容する包装形態は、包装箱が、直方体形状であるためにいずれの商品も同じように見え、他の商品と差別化し難いという問題がある。また、窓部を備えた包装箱は物品が目視可能であり顧客にアピールできる形態であるが、やはり包装箱は直方体形状であり、店頭に陳列されると他の商品との差別化が図りにくいものである。
【０００５】
また、ブリスターパックの包装形態は、プラスチックシートを物品の形状に成形された容器に収容されているため前記包装箱の形態に比べると差別化が図れる形態である。しかし、同種のブリスターパックの包装形態が店頭で陳列されると他の商品との差別化が図りにくいという問題がある。さらに、ブリスターパックの形態は、プラスチックの成形体と、板紙からなる台紙あるいは包装箱との組み合わせのために、開封された包装体は分別廃棄しなければならず、顧客にとって、面倒なものである。一方、包装箱を使用するユーザー等からは店頭で陳列した際、展示性の高い新しい包装形態の開発が望まれている。
【０００６】
そこで本発明は、上記問題を解決すべくなされたものであり、その目的とするところは店頭での展示性の高い新しい包装形態の包装体を提供することにある。
【課題を解決するための手段】
【０００７】
本発明は、上記課題を達成するために、請求項１記載の本発明は、４枚の側板からなる角筒状の胴部を有し、天板及び底板で上部及び下部の開口を閉鎖されてなり、前記側板は長穴形状の切り欠き部を備えた包装箱と、当該包装箱に収容された円筒部を有する物品とを備えた包装体であって、前記包装箱が、前記側板が、対角から前記切り欠き部に伸びる斜め折り線を備え、前記底板の中央に仮想の垂線をひいたとき、仮想の垂線を回転軸として前記天板の側を捩ったとき、前記側板が前記斜め折り線で折れ曲がり、前記側板が連接される稜線が傾斜した状態で保持されており、前記物品が前記包装箱に収容されていることを特徴とする包装体である。
【０００８】
また、請求項２記載の本発明は、請求項１に記載の包装体において、角筒状の胴部を形成する４枚の前記側板は、一の方向に対向する前記側板のうち、一方の前記側板の上部に前記天板が連接され、他方の前記側板の上部に天内板が連接され、二の方向に対向する前記側板の上部に折り込み片がそれぞれ連接され、いずれか一方の前記折り込み片及び前記側板の上部に補助折り線が設けられており、前記補助折り線が、前記折り込み片の端縁から当該折り込み片に連接する前記側板の前記切り欠き部に向かい伸びていることを特徴とするものである。
【発明の効果】
【０００９】
本発明の包装体は、店頭での展示性の高い新しい包装形態の包装体を提供できる。また、物品が包装箱に収容された状態で物品の目視確認が可能であり、顧客に安心感を与える。
【図面の簡単な説明】
【００１０】
【図１】本発明に係る包装体の一例を示す斜視図である。
【図２】図１の包装体の包装箱を組み立てるブランクの展開図である。
【図３】図２のブランクを組み立てる手順を示す斜視図である。
【図４】図２のブランクを組み立てる手順を示す説明図である。
【図５】図２のブランクを組み立てる手順を示す斜視図である。
【図６】図２のブランクを組み立てる手順を示す平面図である。
【図７】図２のブランクを組み立てる手順を示す斜視図である。
【図８】本発明に係る包装体のその他の具体例に用いる部材を示す斜視図である。
【発明を実施するための形態】
【００１１】
次に、本発明の実施形態について図面を参照しながら詳細に説明する。
【００１２】
図１は本発明に係る包装体の一例を示す斜視図、図２は図１の包装体の包装箱を組み立てるブランクの展開図、図３、図５、図７は図２のブランクを組み立てる手順を示す斜視図、図４は図２のブランクを組み立てる手順を示す説明図、図６は図２のブランクを組み立てる手順を示す平面図、図８は本発明に係る包装体のその他の具体例に用いる部材を示す斜視図であり、図中の１は包装箱、１’は捩じる前の包装箱、２は円筒部を有する物品、３は包装体、１１は糊代片、１２、１３、１４、１５は側板、１２ａ、１３ａ、１４ａ、１５ａは切り欠き部、１２ｂ、１３ｂ、１４ｂ、１５ｂは斜め折り線、１１ｃ、１２ｃ、１３ｃ、１４ｃ、１５ｃは斜め折り線、１６は補助折り線、２２は天内板、２３、２５は折り込み片、２４は天板、３２は底内板、３３、３５は折り込み片、３４は底板、Ｒ２３、Ｒ３４、Ｒ４５、Ｒ５２は稜線、Ｂはブランク、Ｋは物品が収容される空間、４１は首固定部材、４２は穴をそれぞれ示す。
【００１３】
図１は本発明に係る包装体３の一例を示す斜視図であり、円筒部を有する物品２を収容する包装箱１は、立体構造を有する新規の形態であり、図２に展開図で示すブランクＢを組み立てて形成されるものである。
【００１４】
図２のブランクＢは、包装箱１に用いられる板紙を打ち抜いて作製したものであり、図２に示すように、右から左に向かい折り線を介して糊代片１１、側板１２、１３、１４、１５が順に連接されている。側板１２の上辺には折り線を介して天内板２２が連接され、下辺には折り線を介して底内板３２が連接され、側板１３の上辺には折り線を介して折り込み片２３が連接され、下辺には折り線を介して折り込み片３３が連接され、側板１４の上辺には折り線を介して天板２４が連接され、下辺には折り線を介して底板３４が連接され、側板１５の上辺には折り線を介して折り込み片２５が連接され、下辺には折り線を介して折り込み片３５が連接されている。
【００１５】
天板２４の上下の長さは側板１３及び側板１５の左右の長さと略同じであり、天内板２２の上下の長さは側板１３及び側板１５の左右の長さ及び天板２４の上下の長さより短くされている。底板３４の上下の長さは側板１３及び側板１５の左右の長さと略同じであり、底内板３２の上下の長さは側板１３及び側板１５の左右の長さ及び底板３４の上下の長さより短くされている。折り込み片２３、２５の上下の長さは天内板２２の上下の長さより短くされ、折り込み片３３、３５の上下の長さは底内板３２の上下の長さより短くされている。
【００１６】
側板１２、１３、１４、１５には、上下に長穴形状の切り欠き部１２ａ、１３ａ、１４ａ、１５ａが、それぞれ設けられている。図２に示す切り欠き部１２ａ、１３ａ、１４ａ、１５ａは、その外郭が上下に長い楕円状の穴に形成されているが、これに限定されるものではなく、包装箱１に収容される円筒部を有する物品２の大きさに応じて設定されるものであり、後述する組み立て方法により組み立てた包装箱に円筒部を有する物品２を収容したとき、固定されるように設定される。また、切り欠き部の形状は、上下を長辺とする長方形でその上辺及び下辺が外側に膨れる円形状のいわゆる長穴状、上下を長辺とする長方形でその上辺及び下辺が外側を頂点とする三角形状、あるいは上下に長い楕円状でもよい。包装箱１に組み立てたとき、天板２４と底板３４で挟まれた空間を天板２４または底板３４の側から平面視円形状の外郭（図６参照）が得られ、円筒部を有する物品２を固定しやすいので楕円状が好ましい。なお、本願では切り欠き部の外郭の左右長さより上下の長さが大きい形状を備えておれば外郭形状に拘ることなく長穴形状と呼び、前記切り欠き部の形状が含まれる。
【００１７】
側板１２は、対角から切り欠き部１２ａに伸びる斜め折り線１２ｂ、１２ｃを備える。図２に示すように斜め折り線１２ｂは天内板２２と糊代片１１に挟まれた右上隅から側板１３と底内板３２に挟まれた左下隅に向かい切り欠き部１２ａまで伸びている。同様に斜め折り線１２ｃは側板１２の左下隅から右上隅に向かい切り欠き部１２ａまで伸びている。斜め折り線１２ｂ、１２ｃは側板１２の右上隅と左下隅の対角線に位置することが好ましい。同様に側板１３には斜め折り線１３ｂ、１３ｃ、側板１４には、斜め折り線１４ｂ、１４ｃ、側板１５には、斜め折り線１５ｂ、１５ｃが各側板の右上隅及び左下隅からそれぞれ対角に向かい伸びて設けられている。さらに糊代片１１には左下隅から右端縁に至る斜め折り線１１ｃが設けられている。この斜め折り線１１ｃは後述する包装箱に組み立てた際、糊代片１１と側板１５が重合し斜め折り線１５ｃと斜め折り線１１ｃが重なり、天板２４の側を捩ったとき側板１５に捩りしわが発生することを防止できるので好ましい。斜め折り線１２ｂ、１２ｃは側板１２の右上隅と左下隅の一方の対角に備える例を示したが、これに限定されるものではなく、側板１２の左上隅と右下隅に設ける構成としてもよい。この場合、各側板に設ける斜め折り線も同様に各側板の左上隅と右下隅にそれぞれ設ける。
【００１８】
折り込み片２５と側板１５の上部との左右の中央あたりに補助折り線１６が設けられている。補助折り線１６は折り込み片２５の上端縁から切り欠き部１５ａの上端縁乃至近傍に至り伸びている。補助折り線１６は組み立てられて捩じる前の包装箱１’（図３参照）となったとき、対向する折り込み片２３と側板１３の側であってもよく、いずれか一方の折り込み片及び側板の上部に設けられる。補助折り線１６を設けることにより捩って組み立てた包装箱１の側板１５にしわが発生することを抑制できるので好ましい形態である。なお、図２はブランクＢを包装箱１となったときの外面から見た図であり、実線で示した折り線は山折りされ、破線で示した折り線は谷折りされることを示す。破線で示した折り線は、押罫でもよいが、ミシン目の方が好ましく、押罫と切り線が交互に連接するリード罫がより好ましく、包装箱１に組み立てたとき、側板にシワが入りにくい。また、外面から見える面を外側乃至表側とも呼ぶことがある。
【００１９】
図２に示したブランクＢは、糊代片１１の表側を側板１５の端部の裏側に貼り合わせ角筒状を二つ折りした状態の所謂サック貼とされる。図２のブランクＢは、底部及び天部が貼合されるシールエンドカートンを例示したが、底部はオートボトムの形態とすることもできる。天部は包装箱の組み立てが容易になるのでシールエンドの形態が好ましい。
【００２０】
つぎに図３〜図７、図１を参照しながら本発明の包装箱１の組み立て方について説明する。図２のブランクＢをサック貼後、図１に示す包装箱１に組み立てるには、まず、二つ折りされたサック貼状態から側板を連接する各折り線を山折りして角筒状に起こした（起函）後、側板１３、１５の下辺に連接した折り込み片３３、３５をそれぞれ内側に折り曲げた後、折り込み片３３、３５の上に底内板３２を折り曲げ、さらに折り込み片３３、３５及び底内板３２の上に底板３４を折り曲げて重合させ貼り合わせることで角筒状の下部の開口を閉鎖する。図３はその状態を示し、起函され底部が閉鎖された捩じる前の包装箱１’が完成する。なお、底部をオートボトムとする場合、すでに下部の開口は折り畳まれた底部で閉鎖されているので起函すると同時に折り畳まれた底部が展開し底面が形成される。
【００２１】
つぎに図３に示す折り込み片２５及び側板１５の上部に設けられた補助折り線１６を外側に山折りする。図４は包装箱１’の上部の開口側から見た外郭のみを示した説明図であり、その様子を示す。図４（イ）は補助折り線１６を山折りする前の開口の外郭を示し、図４（ロ）は補助折り線１６を外側に膨れるように山折りした後の開口の外郭を示す。
【００２２】
そして、外側に膨れた折り込み片２５及び側板１５の上部を重ねるように且つ、斜め折り線１２ｂ、１３ｂ、１４ｂ、１５ｂ及び斜め折り線１２ｃ、１３ｃ、１４ｃ、１５ｃを谷折りし、側板１２、１３、１４、１５を内側に折り曲げながら開口の側を矢印で示す方向に捩じる。ほぼ９０°回転させると回転が停止し、補助折り線１６を元の状態に復元すると、側板１２、１３、１４、１５が捩じれた状態の立体形状（図５参照）が完成する。
【００２３】
図５は開口の側を捩じることにより形成され上部が開口された状態の包装箱１を示している。捩じることにより側板１２、１３、１４、１５の上辺と下辺が投影した状態で角度が略９０°を成し、捩じられた状態が保持される。側板１２、１３が連接する稜線Ｒ２３（図６参照）、側板１３、１４が連接する稜線Ｒ３４、側板１４、１５が連接する稜線Ｒ４５、側板１５、１２が連接する稜線Ｒ５２は連接する側板の内面が相互に重合するような状態でピラーとなりそれぞれの稜線Ｒ２３、Ｒ３４、Ｒ４５、Ｒ５２が傾斜した状態となっている。さらに図３、図５を参照しながら捩じる方法を詳述すると、底部の開口を閉鎖した底板３４の中央に仮想の垂線をひいたとき、仮想の垂線を回転軸（図示しない）として、天板２４の側を矢印の方向に捩じって回転したとき、側板１２、１３、１４、１５が斜め折り線１２ｂ、１３ｂ、１４ｂ、１５ｂ及び斜め折り線１２ｃ、１３ｃ、１４ｃ、１５ｃで谷折りされて折れ曲がり、側板１２、１３、１４、１５が連接される稜線Ｒ２３、Ｒ３４、Ｒ４５、Ｒ５２が傾斜した状態で保持されている。
【００２４】
図６は図５の包装箱１を開口から見た平面図であって、切り欠き部１２ａ、１３ａ、１４ａ、１５ａが捩じられることにより形成された外郭で囲まれた空間が形成され、この空間が、物品が収容される空間Ｋとなる。物品が収容される空間Ｋは図６に示すように平面視円形状の外郭を成している。
【００２５】
つぎに上部の開口から円筒部を有する物品２を収容する。収容された円筒部を有する物品２は物品を収容する空間Ｋの切り欠き部１２ａ、１３ａ、１４ａ、１５ａが捩じられた外郭に支持され、円筒部を有する物品２が安定した状態で保持される。また、当該部分は緩衝効果を奏し、円筒部を有する物品２の破損を防ぐ効果を奏する。
【００２６】
つぎに側板１３、１５の上辺に連接した折り込み片２３、２５をそれぞれ内側に折り曲げた後、折り込み片２３、２５の上に天内板２２を折り曲げ、さらに折り込み片２３、２５及び天内板２２の上に天板２４を折り曲げて重合させ接着剤等で貼り合わせることで角筒状の上部の開口を閉鎖することにより円筒部を有する物品２が包装箱１に収容された図１に示す包装体３が完成する。
【００２７】
図１に示す包装体３は新しい包装形態を有するために店頭で展示性の高いものとなり、他の商品との差別化を図ることが可能となり、また、包装箱に収容された物品を目視できるために顧客に安心感を与える
【００２８】
包装箱に収容される円筒部を有する物品２としては、円筒部を有する容器本体と容器本体に連接する首部と首部の開口を閉塞するキャップを備えたガラスまたはプラスチック製容器に液体等が収容された栄養ドリンク、医薬用ドリンク、エンジンオイル添加液等の物品に適用できる。また、物品として液体等が充填される容器の形は円筒部を有する容器であれば限定されるものではなく、円柱状の缶容器でもよい。
【００２９】
図８は、本発明に係る包装体３のその他の具体例に用いる部材を示す斜視図である。図８に示すように円筒部を有する物品２の容器として、円筒部を有する容器本体と首部を有する容器の場合、輸送途上の振動で首部の揺れを抑制するために使用される首固定部材４１である。首固定部材４１は包装箱１の上部の開口に嵌入される矩形状の紙製部材であり、その中央に円筒部を有する物品２の首部に嵌入する穴４２を備えている。図示しないが首固定部材４１は、包装箱１の上部の開口に嵌入されると共に穴４２を円筒部を有する物品２の首部に嵌入し側板１２、１３、１４、１５の内面に沿って下方にスライドさせたとき、円筒部を有する物品２が包装箱１に保持される。首固定部材４１は円筒部を有する物品２が首部を有する場合、具備することが好ましいものである。
【００３０】
本発明の包装体３を構成する包装箱１には、紙基材が好ましく使用でき、コートボール、ノーコートボール、カード紙、アイボリー、クラフトボール等のコート紙、ノーコート紙等の板紙が使用できる。坪量としては２００ｇ／ｍ2  〜５００ｇ／ｍ2 である。包装箱１の組み立て易さを勘案すると坪量は２５０ｇ／ｍ2  〜４５０ｇ／ｍ2 が好ましく、３００ｇ／ｍ2  〜４００ｇ／ｍ2 がより好ましい。また、包装箱１の表面に印刷を施し、さらに印刷表面に表面コートを施すことによって、意匠性を高めることができる。また、包装箱１は円筒部を有する物品２を支持する支持体として使用することもできる。
【００３１】
なお、今まで説明してきた実施形態は、本発明に係る包装体の代表的な実施例を挙げたものであって、本発明に係る包装体はこれに限るものではなく、本発明の趣旨を逸脱しない範囲において種々の変更が可能である。
【産業上の利用可能性】
【００３２】
本発明の包装体は、エンジンオイル添加液、栄養ドリンク、医薬用ドリンク等を収容する用途だけではなく、液体を破損し易い容器に収容して販売するような用途にも展開することができる。
【符号の説明】
【００３３】
１                                包装箱
１’                              捩じる前の包装箱
２                                円筒部を有する物品
３                                包装体
１１                              糊代片
１１ｃ                            斜め折り線
１２、１３、１４、１５            側板
１２ａ、１３ａ、１４ａ、１５ａ    切り欠き部
１２ｂ、１３ｂ、１４ｂ、１５ｂ    斜め折り線
１２ｃ、１３ｃ、１４ｃ、１５ｃ    斜め折り線
１６                              補助折り線
２２                              天内板
２３、２５                        折り込み片
２４                              天板
３２                              底内板
３３、３５                        折り込み片
３４                              底板
Ｒ２３、Ｒ３４、Ｒ４５、Ｒ５２    稜線
Ｂ                                ブランク
Ｋ                                物品が収容される空間
４１                              首固定部材
４２                              穴
【図１】
2020158125.tif 000003
【図２】
2020158125.tif 000004
【図３】
2020158125.tif 000005
【図４】
2020158125.tif 000006
【図５】
2020158125.tif 000007
【図６】
2020158125.tif 000008
【図７】
2020158125.tif 000009
【図８】
2020158125.tif 000010